(57)【要約】【課題】画調変換された変換画像に加工を行なった場合の違和感を軽減する。【解決手段】絵画調変換された画像に対し、上記絵画調変換の内容を示す情報を付帯して記憶する変換画像データベース13Ｄと、記憶する絵画調変換された画像を読出して表示部15で表示させ、表示された画像上の任意の位置指定をタッチパネル部１６より受付け、表示させる画像中の、指定された位置を含む画像領域を変換画像データベース13Ｄで記憶したパラメータ情報に応じて加工し、加工した画像領域の画像を、記憶する絵画調変換の内容を示す情報に応じて更新するＣＰＵ11とを備える。【選択図】図１
2013156848.tif 000002
【特許請求の範囲】
【請求項１】
画調変換された画像に対し、上記画調変換の内容を示す情報を付帯して記憶する記憶手段と、
上記記憶手段で記憶する画調変換された画像を読出して表示させる表示制御手段と、
上記表示制御手段により表示された画像中の任意の位置の画像領域を加工する加工手段と、
上記加工された画像領域の画像を、上記記憶手段が記憶する画調変換の内容を示す情報に応じて更新する画像更新手段と
を具備したことを特徴とする画像処理装置。
【請求項２】
絵画調変換された画像に対し、上記絵画調変換の内容を示す情報を付帯して記憶する記憶手段と、
上記記憶手段で記憶する絵画調変換された画像を読出して表示させる表示制御手段と、
上記表示制御手段により表示された画像上の任意の位置を指定する位置指定手段と、
上記表示制御手段で表示させる画像中の上記位置指定手段で指定された位置を含む画像領域を加工する加工手段と、
上記加工された画像領域の画像を、上記記憶手段が記憶する画調変換の内容を示す情報に応じて更新する画像更新手段と
を具備したことを特徴とする画像処理装置。
【請求項３】
上記加工手段は、画像を加工する描画タッチの太さを指定する太さ指定手段を備え、
上記画像更新手段は、上記表示制御手段で表示させる画像中の、上記位置指定手段で指定された位置を含む上記太さ指定手段で指定された太さ分の画像領域を上記記憶手段が記憶する絵画調変換の内容を示す情報に応じて更新する
ことを特徴とする請求項１または２記載の画像処理装置。
【請求項４】
上記加工手段は、画像を更新する色を指定する色指定手段を備え、
上記画像更新手段は、上記表示制御手段で表示させる画像中の、上記位置指定手段で指定された位置を含む画像領域を上記色指定手段で指定された色により上記記憶手段が記憶する絵画調変換の内容を示す情報に応じて更新する
ことを特徴とする請求項１または２記載の画像処理装置。
【請求項５】
上記位置指定手段は、画像上の連続した複数の点位置を指定し、
上記画像更新手段は、画像中の複数の点位置を含む一連の画像領域を単位として上記記憶手段が記憶する絵画調変換の内容を示す情報に応じて更新する
ことを特徴とする請求項１または２記載の画像処理装置。
【請求項６】
上記画像更新手段は、所定時間毎に更新することを特徴とする請求項１または２記載の画像処理装置。
【請求項７】
画像を絵画調変換する画調変換手段をさらに具備し、
上記記憶手段は、上記画調変換手段で得た絵画調変換後の画像に上記絵画調変換の内容を示す情報を付帯して記憶し、
上記画像更新手段は、上記画調変換手段により上記位置指定手段で指定された位置を含む画像領域を上記記憶手段が記憶する絵画調変換の内容を示す情報に応じて更新する
ことを特徴とする請求項１または２記載の画像処理装置。
【請求項８】
上記画像更新手段は、更新した画像内容を、上記表示制御手段で上記記憶手段から読出した絵画調変換後の画像とは別のレイヤーとして保持しながら、表示上は更新した内容を表示させることを特徴とする請求項１または２記載の画像処理装置。
【請求項９】
画調変換後の画像に対し、上記画調変換の内容を示す情報を付帯して記憶する記憶工程と、
上記記憶工程で記憶する画調変換された画像を読出して表示させる表示制御工程と、
上記表示制御工程で表示された画像中の任意の位置の画像領域を加工する加工工程と、
上記加工された画像領域の画像を、上記記憶工程で記憶する画調変換の内容を示す情報に応じて更新する画像更新工程と
を有したことを特徴とする画像処理方法。
【請求項１０】
端末装置、サーバ装置、及びこれらを接続するネットワークを含む画像処理システムであって、
上記サーバ装置は、
オリジナル画像を上記端末装置からアップロードするアップロード手段と、
上記アップロード手段で得たオリジナル画像を異なる画調の画像に変換して変換画像を得る画調変換手段と、
上記変換画像に対し、上記画調変換の内容を示す付帯情報を付帯して記憶する記憶手段と、
上記記憶手段で記憶した変換画像を上記付帯情報とともに上記端末装置にダウンロードするダウンロード手段とを備え、
上記端末装置は、
上記ダウンロードされた変換画像を受信する受信手段と、
上記受信手段で受信した変換画像を表示させる表示制御手段と、
上記表示制御手段で表示させる変換画像上の位置を指定する位置指定手段と、
上記表示制御手段で表示させる変換画像中の、上記位置指定手段で指定した位置を含む画像領域を加工する加工手段と、
上記加工手段で加工した画像を上記付帯情報に基づいて更新する画像更新手段とを備える
ことを特徴とする画像処理システム。
【請求項１１】
端末装置、サーバ装置、及びこれらを接続するネットワークを含む画像処理システムであって、
上記サーバ装置は、
オリジナル画像を上記端末装置からアップロードするアップロード手段と、
上記アップロード手段で得たオリジナル画像を異なる画調の画像に変換して変換画像を得る画調変換手段と、
上記画調変換手段で得た変換画像に対し、上記画調変換の内容を示す付帯情報を付帯して記憶する記憶手段と、
上記記憶手段で記憶した変換画像を上記端末装置にダウンロードするダウンロード手段と、
上記端末装置から送信されてくる加工された変換画像を上記付帯情報に基づいて更新する画像更新手段とを備え、
上記端末装置は、
上記変換画像を受信する受信手段と、
上記受信手段により受信された変換画像を表示させる表示制御手段と、
上記表示制御手段により表示された画像上の位置を指定する位置指定手段と、
上記表示制御手段で表示させる画像中の、上記位置指定手段で指定された位置を含む画像領域を加工する画像加工手段と、
上記画像加工手段で加工した変換画像を上記サーバ装置に送信する送信手段とを備え、
上記サーバ装置は、上記画像更新手段により更新された画像を、上記端末にダウンロードさせ、上記端末装置は、上記更新された画像を受信し、上記表示制御手段により表示させる
ことを特徴とする画像処理システム。
【請求項１２】
上記サーバ装置の記憶手段は、上記画調変換手段で得た変換画像と、上記画調変換の内容を示す付帯情報とを関連付けて記憶することを特徴とする請求項１１記載の画像処理システム。
【請求項１３】
上記サーバ装置の記憶手段は、上記画調変換手段で得た変換画像を、上記ダウンロード手段で上記端末装置にダウンロードした後に消去することを特徴とする請求項１２記載の画像処理システム。
【請求項１４】
端末装置、サーバ装置、及びこれらを接続するネットワークを含む画像処理システムであって、
上記サーバ装置は、
オリジナル画像を上記端末装置からアップロードするアップロード手段と、
上記アップロード手段で得たオリジナル画像を異なる画調の画像に変換して変換画像を得る画調変換手段と、
上記画調変換手段で使用した変換画像に対し、上記画調変換の内容を示す付帯情報を付帯して記憶する記憶手段と、
上記記憶手段で記憶した変換画像を上記付帯情報とともに上記端末装置にダウンロードするダウンロード手段とを備え、
上記端末装置は、
上記サーバ装置からダウンロードした変換画像を表示させる表示制御手段と、
上記表示制御手段で表示させた変換画像上の位置を指定する位置指定手段と、
上記表示制御手段で表示させた変換画像中の、上記位置指定手段で指定した位置を含む画像領域を加工する加工手段と、
上記加工手段で画像領域を加工した画像を上記付帯情報とともに上記サーバ装置に送信する送信手段とを備え、
上記サーバ装置は、上記端末装置で加工された画像に対し、上記端末装置から送信されてきた付帯情報に基づいて上記画調変換手段で画調変換して、得た変換画像で上記記憶手段の記憶する内容を更新する
ことを特徴とする画像処理システム。
【請求項１５】
コンピュータが読取り可能なプログラムであって、
上記コンピュータを、
画調変換後の画像に対し、上記画調変換の内容を示す情報を付帯して記憶する記憶手段、
上記記憶手段で記憶する画調変換された画像を読出して表示させる表示制御手段、
上記表示制御手段で表示された画像中の任意の位置の画像領域を加工する加工手段、及び
上記加工された画像領域の画像を、上記記憶手段で記憶する画調変換の内容を示す情報に応じて更新する画像更新手段
として機能させることを特徴とするプログラム。
【請求項１６】
ネットワークを介してサーバ装置と接続可能な端末装置が内蔵するコンピュータが実行するプログラムであって、
上記コンピュータを、
オリジナル画像を上記サーバ装置にアップロードするアップロード手段、
アップロードしたオリジナル画像の画調に対し、予め設定された条件で異なる画調への変換を指示する指示手段、
上記指示手段で指示された画調で変換された変換画像を表示する表示手段、
上記表示手段で表示される変換画像上の位置を指定する指定手段、
上記表示手段で表示される画像中の上記指定手段で指定された位置を含む領域を加工する加工手段、及び
上記加工手段で加工された画像を上記予め設定された条件で更新する更新手段
として機能させることを特徴とするプログラム。
【発明の詳細な説明】
【技術分野】
【０００１】
本発明は、撮影した画像の画調を変換する画像処理装置、画像処理方法、画像処理システム及びプログラムに関する。
【背景技術】
【０００２】
デジタルデータ化された画像では編集や加工が容易となる。例えば市販のアプリケーションプログラムを利用して、デジタルデータ化された写真画像に編集・加工をすることができる。また、デジタルカメラ自体に撮影した画像を編集・加工する機能を備えるものもある。
【０００３】
従来、画像を編集・加工する技術には、種々のものがある。例えば、画像を示すデータに所定の変換処理を施すことによって、その画像を絵画風の画像に変換することができる（特許文献１参照）。また、直線、円など定形の図形や異なる画像を追加することや、ポインティングデバイスを利用して手書きの文字や絵を書き込むことなどもできる。
【先行技術文献】
【特許文献】
【０００４】
【特許文献１】特開２００６−０３１６８８号公報
【発明の概要】
【発明が解決しようとする課題】
【０００５】
しかしながら、画調変換処理を施した変換画像に、文字や絵を加筆したり、別の画像を追加したりすると、加筆した部分や追加した画像が周囲のすでに変換処理が施されている変換画像と馴染まず、部分的に違和感を生じる画像になるという不具合がある。
【０００６】
本発明は上記の事情に鑑みてされたもので、その目的とするところは、画調変換された変換画像に画像を加筆したり追加する加工を行なった場合の違和感をできうる限り軽減することが可能な画像処理装置、画像処理方法、画像処理システム及びプログラムを提供することにある。
【課題を解決するための手段】
【０００７】
本発明の一態様は、画調変換された画像に対し、上記画調変換の内容を示す情報を付帯して記憶する記憶手段と、上記記憶手段で記憶する画調変換された画像を読出して表示させる表示制御手段と、上記表示制御手段により表示された画像中の任意の位置の画像領域を加工する加工手段と、上記加工された画像領域の画像を、上記記憶手段が記憶する画調変換の内容を示す情報に応じて更新する画像更新手段とを具備したことを特徴とする。
【発明の効果】
【０００８】
本発明によれば、画調を変換された変換画像に画像を加筆または追加した場合の違和感をできうる限り軽減することが可能となる。
【図面の簡単な説明】
【０００９】
【図１】本発明の一実施形態に係る画像処理装置の構成を示すブロック図。
【図２】同実施形態に係る画像変換処理の内容を示すフローチャート。
【図３】同実施形態に係る表示部で表示される変換前の画像を例示する図。
【図４】同実施形態に係る表示部で表示される変換後の画像を例示する図。
【図５】同実施形態に係る表示部で表示される、加筆時の画像を例示する図。
【図６】同実施形態に係る表示部で表示される、加筆部分の変換後の画像を例示する図。
【図７】同実施形態に係る他の画像変換処理の内容を示すフローチャート。
【図８】同実施形態に係る表示部で表示される、サイン加筆時の画像を例示する図。
【図９】同実施形態に係る表示部で表示される、サイン加筆部分の変換後の画像を例示する図。
【図１０】同実施形態に係る表示部で表示される、他の画像追加時の画像を例示する図。
【図１１】同実施形態に係る表示部で表示される、他の画像追加部分の変換後の画像を例示する図。
【図１２】同実施形態に係る他のシステム構成例を示すブロック図。
【図１３】同実施形態に係る図１１のシステム構成中での画像の遷移を示す機能ブロック図。
【図１４】同実施形態に係る図１１のシステム構成中での変形例としての画像の遷移を示す機能ブロック図。
【図１５】同実施形態に係る図１１のシステム構成中での他の変形例としての画像の遷移を示す機能ブロック図。
【発明を実施するための形態】
【００１０】
以下本発明に係る画像処理装置の一実施形態について図面を参照して説明する。
【００１１】
図１は、本実施形態に係る画像処理装置１０の回路構成を示すブロック図である。同図で、画像処理装置１０は、ＣＰＵ１１を中心として、ワークメモリ１２、記憶部１３、入力部１４、表示部１５、及びタッチパネル部１６を備える。
【００１２】
ＣＰＵ１１は、この画像処理装置１０全体の動作を司るものであり、記憶部１３から後述する画像変換プログラムを含む動作プログラムを読出し、ワークメモリ１２上に展開して記憶させた上でそれらを順次実行する。
【００１３】
記憶部１３は、不揮発的にプログラムやデータ等を記憶する、例えばハードディスク装置（ＨＤＤ）あるいはフラッシュメモリドライブ（ＳＳＤ）で構成される。記憶部１３に記憶される内容として、例えば画像変換プログラム１３Ａ、各種制御プログラム１３Ｂ、画像データベース（ＤＢ）１３Ｃ、及び変換画像データベース（ＤＢ）１３Ｄを含む。
【００１４】
画像変換プログラム１３Ａは、後述する画像データの全体及び一部の絵画調変換を行なうためのプログラムである。
【００１５】
各種制御プログラム１３Ｂは、上記画像変換プログラム１３Ａ以外の上記ＣＰＵ１１が実行するプログラムである。
【００１６】
画像データベース１３Ｃは、絵画調変換を施していない状態のオリジナル画像データ１３Ｃ１，１３Ｃ２，‥‥を記憶しており、例えばＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮されている。
【００１７】
変換画像データベース１３Ｄは、絵画調変換を施した状態の変換画像データ、例えばＪＰＥＧ方式で圧縮された変換画像データ１３Ｄ１，１３Ｄ２，‥‥からなる。この変換画像データベース１３Ｄを構成する個々の変換画像データは、それぞれ絵画調変換で使用したパラメータ情報を付帯している。
【００１８】
入力部１４は、キーボード及びそのコントローラからなるキー操作部１４Ａと、タッチパネルコントローラ１４Ｂとを有し、ユーザの任意入力を受付ける。
【００１９】
表示部１５は、例えばバックライト付きのカラーＴＦＴ液晶パネルとその駆動回路とで構成され、各種画像等のデータを表示する。この表示部１５上に一体にして透明電極パネルによるタッチパネル部１６が設けられる。タッチパネル部１６において、ユーザが手指、あるいは専用の図示しないスタライスペン等でタッチ操作や描画操作を行なうと、タッチパネル部１６では対応する座標値列の情報を検出して上記入力部１４のタッチパネルコントローラ１４Ｂへ出力する。タッチパネルコントローラ１４Ｂでは、タッチパネル部１６で検出した座標値列情報からユーザによる操作位置を検出してＣＰＵ１１へ送出する。
【００２０】
ＣＰＵ１１は、この入力部１４のタッチパネルコントローラ１４Ｂから送られてくる、タッチパネル部１６でのユーザ操作の位置に応じて、必要により表示部１５で筆跡等を表示させる。
【００２１】
次に上記実施形態の動作について説明する。  
図２は、本実施形態に係る絵画調画像の変換処理の内容を示すフローチャートである。同図は、記憶部１３に記憶されている画像変換プログラム１３ＡをＣＰＵ１１が読出し、ワークメモリ１２に展開して記憶させた上で順次実行される。
【００２２】
処理当初にＣＰＵ１１は、まだなんらの絵画調変換を施していないオリジナル画像データに対して新規の絵画調の画像変換を行なうのか、またはすでに絵画調変換を施した画像データに対して加筆を行なうのかをユーザの選択操作により判断する（ステップＳ１０１）。
【００２３】
ここで新規の画像データに対する絵画調変換を行なうとユーザにより選択操作された場合、ＣＰＵ１１はその操作を判断し、記憶部１３の画像データベース１３Ｃに記憶されている、まだ絵画調変換が施されていないオリジナル画像データの中から１つを設定するようユーザに促す。
【００２４】
このときＣＰＵ１１は、例えば画像データベース１３Ｃに記憶されている各オリジナル画像データ１３Ｃ１，１３Ｃ２，‥‥のサムネイル画像またはリサイズ画像のデータを読出して表示部１５で一覧表示させた上で、タッチパネル部１６またはキー操作部１４Ａのユーザ操作によりいずれかが選択されるのを受付ける（ステップＳ１０２）。
【００２５】
ここでさらに必要によっては、仮に選択された画像のみを表示部１５の全面もしくは多くの部分を用いて拡大して表示することで、ユーザが各画像の内容を確認できるような表示制御を行なうものとしても良い。
【００２６】
画像が選択されるとＣＰＵ１１は、次いで絵画調変換の描画タッチとその描画タッチをユーザに選択するように促し、それに応じてその描画タッチに必要な各種パラメータと操作される入力内容を受付けて、選択された内容を設定する（ステップＳ１０３）。
【００２７】
なお、パラメータには各描画タッチ（各画調）に対応して予め設けられているものと、画像サイズ指定や変換強度指定のようにユーザが指定するパラメータがある。また、予め用意されているパラメータも、同じオリジナル画像を同じ描画タッチで絵画調変換する場合でも、画像のサイズによって適切な内容は異なってくる。
【００２８】
ここで選択可能な絵画調の描画タッチとしては、例えば「油彩」「重厚な油彩」「ゴシック油彩」「野獣派油彩」「水彩」「ガッシュ」「パステル」「色鉛筆」「淡彩点描」「シルクスクリーン」「ドローイング」「エアブラシ」「四角形のモザイク」「三角形のモザイク」「コラージュ」及び「刺しゅう」の計１６種類があるものとする。
【００２９】
また、ＨＤＲ（Ｈｉｇｈ  Ｄｙｎａｍｉｃ  Ｒａｎｇｅ）と呼ばれる、通常の写真では表現できない広いダイナミックレンジの写真を、トーンマッピングにより狭いダイナミックレンジ幅内に入れ込むことで露出過多の白飛びや露出不足の黒つぶれを補正して表現力を増大する処理があり、このＨＤＲも選択可能な描画タッチの１つである。
【００３０】
図３は、上記ステップＳ１０２でユーザにより選択され、表示部１５で表示された画像データの一例を示す。同図は、木の板の上に載置された、福島県会津地方の郷土玩具である「赤べこ」の写真画像を示す。
【００３１】
この画像に対して、上記ステップＳ１０３で描画タッチ「色鉛筆」と、それに伴う各種パラメータとして「キャンバス」「スケール」「マテリアル」「タッチ」「カラー」「デフォルム」及び「フォーカス」とする。このパラメータは一例であって、実際は「色鉛筆」の描画タッチを表現するためには上述したように多数のパラメータが存在する。
【００３２】
ＣＰＵ１１は、設定された描画タッチ及びそれに伴う各種パラメータに従って絵画調画像への変換を実行し（ステップＳ１０４）、得た変換画像データに基づき表示部１５の全面を用いて表示する（ステップＳ１０５）。
【００３３】
図４は、上記図３の画像を描画タッチ「色鉛筆」で絵画調画像に変換した結果を示す。図示するように、全体が右上がりの線で構成されたスケッチ調の画像が得られる。
【００３４】
上記のような変換後の画像を表示部１５で表示した後、ＣＰＵ１１は変換画像を例えばＪＰＥＧのデータフォーマットに基づいてデータ圧縮してファイル化する（ステップＳ１０６）。
【００３５】
そして、ファイル化した変換画像データに対して、上記絵画調の画像変換で用いた描画タッチの内容とそれに伴う各種パラメータ情報を、例えば画像の撮影日時や撮影条件等の撮影データ等のメタデータの一部に含ませることで付帯して、新たに変換画像データベース１３Ｄに書込んで保存させ（ステップＳ１０７）、以上で図２による一連の処理を一旦終了する。
【００３６】
次に、すでに絵画調に変換した画像に対して加筆する場合の処理についても説明する。
【００３７】
図２において、上記ステップＳ１０１ですでに絵画調変換を施した変換画像データに対して加筆を行なうことをユーザが選択操作した場合、ＣＰＵ１１はそれを判断し、次に記憶部１３の変換画像データベース１３Ｄに記憶されている、絵画調変換済みの変換画像データの中から１つを設定するようユーザに促す。
【００３８】
このときＣＰＵ１１は、例えば変換画像データベース１３Ｄに記憶されている各画像データ１３Ｄ１，１３Ｄ２，‥‥のサムネイル画像もしくはリサイズ画像のデータを読出して表示部１５で一覧表示させた上で、タッチパネル部１６またはキー操作部１４Ａのユーザ操作によりいずれかが選択されるのを受付ける（ステップＳ１０８）。
【００３９】
ここでさらに必要によっては、仮に選択された画像のみを表示部１５の全面もしくは多くの部分を用いて拡大して表示することで、ユーザが各画像の内容を確認できるような表示制御を行なうものとしても良い。
【００４０】
ここでは変換画像データベース１３Ｄ内に記憶されている複数の絵画変換された変換画像の中から1枚を選択しているが、例えばメール添付で友人から送られてきた付帯情報を含む１枚の絵画変換画像に対してステップＳ１０８以降の処理を行っても良い。
【００４１】
変換画像が選択されるとＣＰＵ１１は、その画像データに付帯して記憶されている各種パラメータ情報等一式を読出し、ユーザによる描画に備えてそれらパラメータ等を設定する（ステップＳ１０９）。
【００４２】
次いでＣＰＵ１１は、あらためて選択された変換画像を表示部１５の全面を用いて表示させた上で（ステップＳ１１０）、タッチパネル部１６によりユーザのタッチ入力があったか否か（ステップＳ１１１）、加筆する画像の色変更を指定する所定のキー操作がキー操作部１４Ａよりなされたか否か（ステップＳ１１４）、加筆を終了するための所定のキー操作がキー操作部１４Ａよりなされたか否か（ステップＳ１１６）を順次判断する、という処理を繰返し実行することで、これらの入力を待機する。
【００４３】
上記色変更を指定するキー、及び加筆を終了するキーに関しては、表示部１５で表示する画像の端部において、該当するキー名を、例えば  
「色変更」→「Ｃ」キー／「終了」→「Ｅ」キー  
のようにガイドメッセージとして表示し、キー操作部１４Ａで該当するキー入力があるか否かを判断する。
【００４４】
タッチパネル部１６よりユーザのタッチ入力があった場合、ＣＰＵ１１はステップＳ１１１でそれを判断し、タッチ入力された位置座標列を検出し（ステップＳ１１２）、検出した座標値列の描画を上記ステップＳ１０９で設定したパラメータに基づいて画像変換し、表示部１５で表示する画像に上書き処理し（ステップＳ１１３）、その後に上記ステップＳ１１４に至る。
【００４５】
このときＣＰＵ１１は、加筆した部分の画像データを加筆前の元の画像データとは別のレイヤーデータとして保持して管理することで、加筆終了までは元の画像データそれ自体が部分的にでも上書き処理により失われてしまうことがなく、必要に応じて加筆した部分を容易にキャンセルできる。
【００４６】
図５は、上記図４で示した画像を加筆対象として選択して表示部１５で必要させた上で、ユーザが画像の左下側部分Ｐ１の範囲内に「ニンジン」を手書きで描画して書き加えた状態を例示する。  
上記図５に示すような加筆を行なった場合、上記ステップＳ１１３での書き加えた部分の絵画調変換により得られる結果を図６に示す。同図に示すように、予め設定されている描画タッチ「色鉛筆」での各種パラメータを用いて、Ｐ１内のユーザが書き加えた部分が画像変換された上で元の画像上に上書きして表示されるため、周囲との違和感がなく自然な描写で画像を部分的に書き加えることができる。
【００４７】
なお上記図５及び図６を用いた説明では、説明を容易にするべく、ユーザが書き加えた部分をある程度まとまった（描画した線の）量があるものとして示しているが、実際のデータ処理上では、所定の時間間隔、例えば０．１［秒］単位、あるいは描画１ストローク分毎にタッチ入力された座標値列に従って連続した複数点分の画像変換を纏めて行なう。そのため、ユーザは加筆時に自分の手指あるいはスタライスペンを色鉛筆（あるいは絵筆）に近い感覚で随時加筆することができる。
【００４８】
また、上記ステップＳ１１６での加筆終了を検出してから、加筆した画像領域の絵画変換を行なうものとしてもよい。この場合、加筆の終了を指示するキーが操作されるまでは、上記図５のように周囲の絵画変換画像のタッチとは関係なく、ユーザが加筆した絵が表示される。そして加筆の終了を指示するキーが操作されると、上記図６で示したように周囲の絵画変換画像のタッチと同じ画像に更新される。
【００４９】
図７は、この加筆終了を検出してから、加筆した画像領域の絵画変換を行なう場合の動作を示したフローチャートである。上記図２と同一であるステップに関しては同一符号を付してその説明を省略する。
【００５０】
すなわち、処理当初のステップＳ１０８で、既に絵画調に変換されている変換画像を選択する。その後、選択した変換画像データの各種パラメータ情報等一式を読出して設定し（ステップＳ１０９）、変換画像を表示させる（ステップＳ１１０）。
【００５１】
ユーザのタッチ入力があった場合（ステップＳ１１１）、ＣＰＵ１１はタッチ入力された位置座標列を検出し（ステップＳ１１２）、タッチパネル入力部１６でタッチ操作された位置座標列に応じた加筆処理を行なう（ステップＳ２００）。この場合、線の太さや色はペイントソフト等と同様、任意に設定できるものとし、その時点で設定されているものを継承する。
【００５２】
そして、加筆終了の操作を検出したと判断した時点で（ステップＳ１１６）、加筆した画像領域Ｐ１に対して設定されたパラメータに基いて絵画調の画調変換処理を一括して実行する（ステップＳ２０１）。
【００５３】
以後は上記図２の処理と同様であり、変換画像をデータ圧縮してファイル化し（ステップＳ１０６）、ファイル化した変換画像データに対して描画タッチの内容とそれに伴う各種パラメータ情報を付帯して、新たに変換画像データベース１３Ｄに書込んで保存させ（ステップＳ１０７）、以上で図７の処理を終了する。
【００５４】
図８は、上記図４で示した画像を加筆対象として選択して表示部１５で必要させた上で、ユーザが画像の右下側部分Ｐ２の範囲内に筆記体のサイン「Ｔ．Ｈ．」を手書きで描画して書き加えた状態を例示する。  
上記図８に示すような加筆を行なった場合、上記図２のステップＳ１１３での書き加えた部分の絵画調変換により得られる結果を図９に示す。同図に示すように、予め設定されている描画タッチ「色鉛筆」での各種パラメータを用いて、Ｐ２内のユーザが書き加えたサイン部分が画像変換された上で元の画像上に上書きして表示されるため、周囲との違和感がなく自然な描写で画像を部分的に書き加えることができる。
【００５５】
また上記ステップＳ１１４で加筆する画像の色変更を指定する所定のキー操作がキー操作部１４Ａよりなされたと判断した場合、ＣＰＵ１１は書き加える線の色の設定をユーザの選択通りに変更して設定し（ステップＳ１１５）、その後に上記ステップＳ１１６に至る。
【００５６】
そして、上記ステップＳ１１６で加筆を終了するための所定のキー操作がキー操作部１４Ａよりなされたと判断した場合、ＣＰＵ１１はその時点で元の画像データとは別レイヤーとして保持し、管理していた全ての加筆部分の画像データを元の画像データ上に上書きした上で、その加筆後の画像データをＪＰＥＧのデータフォーマットに基づいてデータ圧縮してファイル化する（ステップＳ１０６）。
【００５７】
そして、ファイル化した画像データに対して、上記ステップＳ１０９で読出した描画タッチの内容とそれに伴う各種パラメータ情報を、再び画像の撮影日時や撮影条件等の撮影データ等のメタデータの一部に含ませることで付帯して、新たに変換画像データベース１３Ｄに書込んで保存させ（ステップＳ１０７）、以上で図２による一連の処理を一旦終了する。
【００５８】
なお上記実施形態ではユーザのタッチパネル部１６を用いた手書きの描画操作等に対する加筆処理に関して説明したが、別の写真画像データを部分的に追加するものとしてもよい。
【００５９】
図１０は、上記図４で示した変換画像を加筆対象として選択して表示部１５で表示させた上で、ユーザが画像の左下側部分Ｐ３の範囲内に別の画像を読出して上書きで合成した状態を例示する。  
上記図９に示すような画像合成を行なった場合の、絵画調変換により得られる結果を図１０に示す。同図に示すように、合成した画家の範囲Ｐ３においてもＰ３外と同様のタッチでの画像変換が行われるため、周囲部分の元の色が異なることでまだ違和感があるものの、さらなるユーザの加筆により周囲と同様の色等を指定した加筆を行なうことで、容易に違いがカバーできる程度にまで馴染んでいるものと思われる。
【００６０】
以上詳述した如く本実施形態によれば、画調変換の１つとして絵画調変換を施した変換画像にさらなる画像を追加した場合、元のパラメータ情報等を利用することにより、違和感をできうる限り軽減することが可能となる。
【００６１】
また上記実施形態では、画像変換のパラメータの一部として例えば「色鉛筆」では「線」の太さに相当する描画タッチの太さを設定可能とし、加筆した部分の画像更新時にはそのタッチの太さを考慮して画像更新を行なうようにしたので、加筆した部分とその周囲との違和感を極力少なくして、自然な描写を得ることができる。
【００６２】
さらに上記実施形態では、画像変換のパラメータの一部として色を設定可能とし、加筆した部分の画像更新時にはその色を考慮して画像更新を行なうようにしたので、加筆した部分とその周囲との違和感を極力少なくして、自然な描写を得ることができる。
【００６３】
さらに上記実施形態では、画像データベース１３Ｃに記憶される画像データに対して絵画調変換する記憶部１３の画像変換プログラム１３Ａを用いて、同様に変換画像データベース１３Ｄに記憶される画像データの加筆部分に関しても同様のパラメータ等を用いた画像変換を行なうため、使用するパラメータ等のみならず、画像変換自体が共通であるためにそれらの画像の親和性が高く、より違和感のない自然な加筆に伴う画像変換が実現できる。
【００６４】
なお上記実施形態は、本発明を画像処理装置として用いた場合について説明したものであるが、本発明はこれに限らず、パーソナルコンピュータ上で同様の画像変換を行なうアプリケーションソフトウェアや、デジタルカメラ内に予め固定的にインストールされている画像変換機能、あるいはインターネットを介して接続可能なウェブサーバ上で提供する画像変換サービス等、種々の形態で実現することが可能である。また、加筆する際にタッチパネルを使用したが、これに限らずマウスやキーボード等を使用してもよい。
【００６５】
図１２は、インターネットを介して接続可能なウェブサーバ上で提供する画像変換サービスを、端末機としてのスマートフォンで利用する場合のシステム全体の概略構成を例示する。同図で、スマートフォン３０は最寄りの基地局ＢＳを介してインターネットＮ経由で画像サーバ装置４０と接続される。
【００６６】
上記スマートフォン３０は、無線通信部３１、無線アンテナ部３２、表示部３３、タッチパネル部３４、ＣＰＵ３５、ワークメモリ３６、記憶部３７、及び入力部３８を有する。
【００６７】
無線通信部３１は、無線アンテナ部３２を介して上記最寄りの基地局ＢＳとの間で、例えばＩＭＴ−２０００規格に従った無線によるデータの送受を行なう。表示部３３は、スマートフォン３０の筐体前面側のほぼ全面をカバーするカラー液晶パネルで構成され、透明電極を用いたタッチパネル部３４を一体にして設ける。
【００６８】
ＣＰＵ３５は、このスマートフォン３０全体の動作制御を司るもので、ワークメモリ３６及び記憶部３７を接続する。記憶部３７は、画像変換プログラムを含む各種制御プログラムと、各種定型データ、及び画像データを記憶する。
【００６９】
入力部３８は、このスマートフォン３０の筐体側面等に設けられたキー操作部と、上記タッチパネル部３４でのタッチ操作位置の座標を検出するタッチパネルコントローラとを有する。
【００７０】
一方の画像サーバ装置４０は、ＣＰＵ４１、画像変換プログラム記憶部４２、各種制御プログラム記憶部４３、画像データベース（ＤＢ）４４、変換画像データベース（ＤＢ）４５、及び通信部４６を有する。
【００７１】
ＣＰＵ４１は、画像変換プログラム記憶部４２及び各種制御プログラム記憶部４３に記憶されるプログラム等を用いて画像サーバ装置４０全体の動作制御を司る。
【００７２】
上記画像データベース４４は、上記図１の画像データベース１３Ｃに準じた、絵画調変換を施していない状態のオリジナル画像データを記憶する。変換画像データベース４５は、上記図１の変換画像データベース１３Ｄに準じた、絵画調変換を施した状態の変換画像データをパラメータ情報を付帯して記憶する。通信部４６は、インターネットＮを介してこの画像サーバ装置４０に対してアクセスしてきた各種機器とデータの送受を行なう。
【００７３】
上記図１２に示した構成にあって、画像サーバ装置４０の変換画像データベース４５に記憶された画像データをスマートフォン３０にダウンロードした場合について簡単に説明する。
【００７４】
このときスマートフォン３０にダウンロードされる画像データは、上述された如くパラメータ情報を付帯している。スマートフォン３０側では、ダウンロードした画像データを記憶部３７に一旦記憶すると共に、ワークメモリ３６上で展開し、表示部３３で表示させる。
【００７５】
ユーザによりタッチパネル部３４で書込み操作が行なわれると、ＣＰＵ３５は書込まれた位置座標のデータ列をその都度、画像サーバ装置４０に送出する。画像サーバ装置４０では、画像サーバ装置４０から送られてきたユーザ操作内容に応じて、対応するパラメータ情報を用いた画像変換を施した上で当該画像上に部分的に上書きして更新記憶し、更新後の画像データを再度スマートフォン３０に送り返す。
【００７６】
スマートフォン３０では、送り返された画像データを受信して表示部３３で表示することで、ユーザの書込み内容を確認できる。
【００７７】
ユーザによる書込みが終了し、所定の指示操作が行なわれると、その指示信号がスマートフォン３０から画像サーバ装置４０に送られ、これを受けた画像サーバ装置４０ではその時点で更新記憶している画像データをあらためて別の画像データとしてパラメータ情報を付帯してファイル化し、変換画像データベース４５に追加して記憶させる。
【００７８】
このときスマートフォン３０側では、上記画像サーバ装置４０側で記憶したデータとは別に、必要に応じて最終的に画像サーバ装置４０から送られてきたデータをデータファイル化し、記憶部３７に記憶して保存するものとしてもよい。
【００７９】
図１３は、このシステム構成中での画像の遷移を示す機能ブロック図である。スマートフォン３０の記憶部３７に記憶されているオリジナル画像ＢＣは、画像サーバ装置４０の画像データベース４４にアップロードされる。そしてパラメータ情報Ｆ１に基づいて画像変換プログラム４２により画調変換され、画調が変換された変換画像ＢＤを得る。
【００８０】
この変換画像ＢＤは、変換に使用したパラメータ情報Ｆ１を付帯情報Ｆ２として変換画像データベース４５に記憶される。パラメータ情報Ｆ１と付帯情報Ｆ２は同一でも良いが、パラメータ情報Ｆ１は多量の情報量があるので、必要最小限の情報だけを付帯情報Ｆ２としてもよい。
【００８１】
この変換画像ＢＤと付帯情報Ｆ２はともにスマートフォン３０へ送られ、記憶部３７に記憶される。そして、上記図７のステップＳ１１１、Ｓ１１２、Ｓ２００、Ｓ１１４、Ｓ１１５、Ｓ１１６、Ｓ２０１と同様な処理をスマートフォン３０のＣＰＵ３５で行なう。
【００８２】
スマートフォン３０の表示部３３及びタッチパネル３４を用いて元の変換画像ＢＤと同じタッチで加筆された画像ＢＥは記憶部３７に記憶される。
【００８３】
図１４により他の変形例について説明する。付帯情報Ｆ２を変換画像ＢＤと関連付けて変換画像データベース４５に記憶しておく。そしてスマートフォン３０には変換画像ＢＤのみを送り、付帯情報Ｆ２は送らないものである。
【００８４】
その変換画像ＢＤを加筆したい場合は、その変換画像ＢＤを画像サーバ装置４０へ送り、その変換画像ＢＤと関連付けられている付帯情報Ｆ２に基づいて更新を行なう。この際の加筆操作は、スマートフォン３０の表示部３３及びタッチパネル３４を用いて行なう。これにより、スマートフォン３０へ送る情報量を少なくすることができ、スマートフォン３０内で付帯情報Ｆ２を管理する必要もなくなる。
【００８５】
なお、後の過程で変換画像ＢＤと関連付けられる形で付帯情報Ｆ２を記憶しておけば、変換画像ＢＤをスマートフォン３０にダウンロードした段階で、画像データベース４４から変換画像を削除することができる。
【００８６】
多数のユーザが使用すると変換画像の数が膨大なものとなるので、後に修正が必要になった時点で付帯情報から元の変換画像を特定できるようにしておけば、データ量の大きい変換画像を画像サーバ装置４０の変換画像データベース４０に保持しておく必要がなくなる。
【００８７】
さらに図１５により他の変形例について説明する。付帯情報Ｆ２を変換画像ＤＢと関連付けて変換画像データベース４５に記憶しておくが、スマートフォン３０へは変換画像ＤＢと付帯情報Ｆ２の両方を送るものである。スマートフォン３０に絵画変換エンジンを搭載していればスマートフォン３０内で画調更新が可能であるが、そうでなければ画像サーバ装置４０へ変換画像ＢＤと付帯情報Ｆ２をサーバ装置４０に戻し、付帯情報Ｆ２に基づく加筆処理はサーバで行う。この場合は、付帯情報を一旦変換画像とともにスマートフォン３０に送っているので、画像サーバ装置４０側で付帯情報を管理している必要がない。
【００８８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８９】
以下に、本願出願の当初の特許請求の範囲に記載された発明を付記する。  
請求項１記載の発明は、画調変換された画像に対し、上記画調変換の内容を示す情報を付帯して記憶する記憶手段と、上記記憶手段で記憶する画調変換された画像を読出して表示させる表示制御手段と、上記表示制御手段により表示された画像中の任意の位置の画像領域を加工する加工手段と、上記加工された画像領域の画像を、上記記憶手段が記憶する画調変換の内容を示す情報に応じて更新する画像更新手段とを具備したことを特徴とする。
【００９０】
請求項２記載の発明は、絵画調変換された画像に対し、上記絵画調変換の内容を示す情報を付帯して記憶する記憶手段と、上記記憶手段で記憶する絵画調変換された画像を読出して表示させる表示制御手段と、上記表示制御手段により表示された画像上の任意の位置を指定する位置指定手段と、上記表示制御手段で表示させる画像中の上記位置指定手段で指定された位置を含む画像領域を加工する加工手段と、上記加工された画像領域の画像を、上記記憶手段が記憶する画調変換の内容を示す情報に応じて更新する画像更新手段と
を具備したことを特徴とする。
【００９１】
請求項３記載の発明は、上記請求項１または２記載の発明において、上記加工手段は、画像を加工する描画タッチの太さを指定する太さ指定手段を備え、上記画像更新手段は、上記表示制御手段で表示させる画像中の、上記位置指定手段で指定された位置を含む上記太さ指定手段で指定された太さ分の画像領域を上記記憶手段が記憶する絵画調変換の内容を示す情報に応じて更新することを特徴とする。
【００９２】
請求項４記載の発明は、上記請求項１または２記載の発明において、上記加工手段は、画像を更新する色を指定する色指定手段を備え、上記画像更新手段は、上記表示制御手段で表示させる画像中の、上記位置指定手段で指定された位置を含む画像領域を上記色指定手段で指定された色により上記記憶手段が記憶する絵画調変換の内容を示す情報に応じて更新することを特徴とする。
【００９３】
請求項５記載の発明は、上記請求項１または２記載の発明において、上記位置指定手段は、画像上の連続した複数の点位置を指定し、上記画像更新手段は、画像中の複数の点位置を含む一連の画像領域を単位として上記記憶手段が記憶する絵画調変換の内容を示す情報に応じて更新することを特徴とする。
【００９４】
請求項６記載の発明は、上記請求項１または２記載の発明において、上記画像更新手段は、所定時間毎に更新することを特徴とする。
【００９５】
請求項７記載の発明は、上記請求項１または２記載の発明において、画像を絵画調変換する画像変換手段をさらに具備し、上記記憶手段は、上記画像変換手段で得た絵画調変換後の画像に上記絵画調変換の内容を示す情報を付帯して記憶し、上記画像更新手段は、上記画像変換手段により上記位置指定手段で指定された位置を含む画像領域を上記記憶手段が記憶する絵画調変換の内容を示す情報に応じて更新することを特徴とする。
【００９６】
請求項８記載の発明は、上記請求項１または２記載の発明において、上記画像更新手段は、更新した画像内容を、上記表示制御手段で上記記憶手段から読出した絵画調変換後の画像とは別のレイヤーとして保持しながら、表示上は更新した内容を表示させることを特徴とする。
【００９７】
請求項９記載の発明は、画調変換後の画像に対し、上記画調変換の内容を示す情報を付帯して記憶する記憶工程と、上記記憶工程で記憶する画調変換された画像を読出して表示させる表示制御工程と、上記表示制御工程で表示された画像中の任意の位置の画像領域を加工する加工工程と、上記加工された画像領域の画像を、上記記憶工程で記憶する画調変換の内容を示す情報に応じて更新する画像更新工程とを有したことを特徴とする。
【００９８】
請求項１０記載の発明は、端末装置、サーバ装置、及びこれらを接続するネットワークを含む画像処理システムであって、上記サーバ装置は、上記端末装置が取得したオリジナル画像を当該端末装置からアップロードするアップロード手段と、上記アップロード手段で得たオリジナル画像を異なる画調の画像に変換して変換画像を得る画調変換手段と、上記変換画像に対し、上記画調変換の内容を示す付帯情報を付帯して記憶する記憶手段と、上記記憶手段で記憶した変換画像を上記付帯情報とともに上記端末装置にダウンロードするダウンロード手段とを備え、上記端末装置は、上記ダウンロードされた変換画像を受信する受信手段と、上記受信手段で受信した変換画像を表示させる表示制御手段と、上記表示制御手段で表示させる変換画像上の位置を指定する位置指定手段と、上記表示制御手段で表示させる変換画像中の、上記位置指定手段で指定した位置を含む画像領域を加工する加工手段と、上記加工手段で加工した画像を上記付帯情報に基づいて更新する画像更新手段とを備えることを特徴とする。
【００９９】
請求項１１記載の発明は、端末装置、サーバ装置、及びこれらを接続するネットワークを含む画像処理システムであって、上記サーバ装置は、上記端末装置が取得したオリジナル画像を当該端末装置からアップロードするアップロード手段と、上記アップロード手段で得たオリジナル画像を異なる画調の画像に変換して変換画像を得る画調変換手段と、上記画調変換手段で得た変換画像に対し、上記画調変換の内容を示す付帯情報を付帯して記憶する記憶手段と、上記記憶手段で記憶した変換画像を上記端末装置にダウンロードするダウンロード手段と、上記端末装置から送信されてくる加工された変換画像を上記付帯情報に基づいて更新する画像更新手段とを備え、上記端末装置は、上記変換画像を受信する受信手段と、上記受信手段により受信された変換画像を表示させる表示制御手段と、上記表示制御手段により表示された画像上の位置を指定する位置指定手段と、上記表示制御手段で表示させる画像中の、上記位置指定手段で指定された位置を含む画像領域を加工する画像加工手段と、上記画像加工手段で加工した変換画像を上記サーバ装置に送信する送信手段とを備え、上記サーバ装置は、上記画像更新手段により更新された画像を、上記端末にダウンロードさせ、上記端末装置は、上記更新された画像を受信し、上記表示制御手段により表示させることを特徴とする。
【０１００】
請求項１２記載の発明は、上記請求項１１記載の発明において、上記サーバ装置の記憶手段は、上記画調変換手段で得た変換画像と、上記画調変換の内容を示す付帯情報とを関連付けて記憶することを特徴とする。
【０１０１】
請求項１３記載の発明は、上記請求項１２記載の発明において、上記サーバ装置の記憶手段は、上記画調変換手段で得た変換画像を、上記ダウンロード手段で上記端末装置にダウンロードした後に消去することを特徴とする。
【０１０２】
請求項１４記載の発明において、端末装置、サーバ装置、及びこれらを接続するネットワークを含む画像処理システムであって、上記サーバ装置は、上記端末装置が取得したオリジナル画像を当該端末装置からアップロードするアップロード手段と、上記アップロード手段で得たオリジナル画像を異なる画調の画像に変換して変換画像を得る画調変換手段と、上記画調変換手段で使用した変換画像に対し、上記画調変換の内容を示す付帯情報を付帯して記憶する記憶手段と、上記記憶手段で記憶した変換画像を上記端末装置にダウンロードするダウンロード手段とを備え、上記端末装置は、上記サーバ装置からダウンロードした変換画像を表示させる表示制御手段と、上記表示制御手段で表示させた変換画像上の位置を指定する位置指定手段と、上記表示制御手段で表示させた変換画像中の、上記位置指定手段で指定した位置を含む画像領域を加工する加工手段と、上記加工手段で画像領域を加工した画像を上記サーバ装置に送信する送信手段とを備え、上記サーバ装置は、上記端末装置で加工された画像に対し、上記記憶手段で記憶する付帯情報に基づいて上記画調変換手段で画調変換して、得た変換画像で上記記憶手段の記憶する内容を更新することを特徴とする。
【０１０３】
請求項１５記載の発明は、コンピュータが読取り可能なプログラムであって、上記コンピュータを、画調変換後の画像に対し、上記画調変換の内容を示す情報を付帯して記憶する記憶手段、上記記憶手段で記憶する画調変換された画像を読出して表示させる表示制御手段、上記表示制御手段で表示された画像中の任意の位置の画像領域を加工する加工手段、及び上記加工された画像領域の画像を、上記記憶手段で記憶する画調変換の内容を示す情報に応じて更新する画像更新手段として機能させることを特徴とする。
【０１０４】
請求項１６記載の発明は、ネットワークを介してサーバ装置と接続可能な端末装置が内蔵するコンピュータが実行するプログラムであって、上記コンピュータを、端末装置で取得したオリジナル画像を上記サーバ装置にアップロードするアップロード手段、アップロードしたオリジナル画像の画調に対し、予め設定された条件で異なる画調への変換を指示する指示手段、上記指示手段で指示された画調で変換された変換画像を表示する表示手段、上記表示手段で表示される変換画像上の位置を指定する指定手段、上記表示手段で表示される画像中の上記指定手段で指定された位置を含む領域を加工する加工手段、及び上記加工手段で加工された画像を上記予め設定された条件で更新する更新手段として機能させることを特徴とする。
【符号の説明】
【０１０５】
１０…画像処理装置、１１…ＣＰＵ、１２…ワークメモリ、１３…記憶部、１３Ａ…画像変換プログラム、１３Ｂ…各種制御プログラム、１３Ｃ…画像データベース（ＤＢ）、１３Ｃ１，１３Ｃ２…オリジナル画像データ、１３Ｄ…変換画像データベース（ＤＢ）、１３Ｄ１，１３Ｄ２…変換画像データ、１４…入力部、１５…表示部、１６…タッチパネル部、３１…無線通信部、３２…無線アンテナ部、３３…表示部、３４…タッチパネル部、３５…ＣＰＵ、３６…ワークメモリ、３７…記憶部、３８…入力部、４０…画像サーバ装置、４１…ＣＰＵ、４２…画像変換プログラム記憶部、４３…各種制御プログラム記憶部、４４…画像データベース（ＤＢ）、４５…変換画像データベース（ＤＢ）、４６…通信部、ＢＣ…オリジナル画像データ、ＢＤ…変換画像データ、ＢＥ…加筆された変換画像データ、ＢＳ…基地局、Ｆ１…パラメータ、Ｆ２…付帯情報、Ｎ…インターネット。
【図１】
2013156848.tif 000003
【図２】
2013156848.tif 000004
【図３】
2013156848.tif 000005
【図４】
2013156848.tif 000006
【図５】
2013156848.tif 000007
【図６】
2013156848.tif 000008
【図７】
2013156848.tif 000009
【図８】
2013156848.tif 000010
【図９】
2013156848.tif 000011
【図１０】
2013156848.tif 000012
【図１１】
2013156848.tif 000013
【図１２】
2013156848.tif 000014
【図１３】
2013156848.tif 000015
【図１４】
2013156848.tif 000016
【図１５】
2013156848.tif 000017